(57)【要約】【課題】排水芯のズレが生じた場合であっても、便器本体の排水口と排水本管とを接続でき、排水芯のズレに柔軟に対応しつつ好適な排水性能を確保できる壁掛け便器を提供すること。【解決手段】便器本体の排水孔と床下排水構造の排水本管接続部２３とを繋ぐ排水流路Ｒの垂直部分を蛇腹管５１によって形成する。また、蛇腹管５１の内部に、内面から蛇腹管５１の谷部５１ａよりも蛇腹管５１の軸線Ｏ１中心の径方向内側に突出して垂下する返し部５４を設ける。【選択図】図９
2020111921.tif 000002
【特許請求の範囲】
【請求項１】
便器本体の排水孔と床下排水構造の排水本管接続部とを繋ぐ排水流路の垂直部分が蛇腹管によって形成されている、壁掛け便器。
【請求項２】
前記蛇腹管には、内部に、内面から前記蛇腹管の谷部よりも前記蛇腹管の軸線中心の径方向内側に突出して垂下した返し部が設けられている、請求項１に記載の壁掛け便器。
【請求項３】
前記蛇腹管の下端部に、上方に向けて凹んで周方向に延び、前記排水本管接続部の上端を嵌合する環状の嵌合溝部が設けられている、請求項１または請求項２に記載の壁掛け便器。
【請求項４】
前記蛇腹管と上方の配管及び／又は前記排水本管接続部となる下方の配管の接続部に、互いを嵌合して接続するとともに上下方向に係止される係止部と係止受け部が設けられている、請求項１から請求項３のいずれか一項に記載の壁掛け便器。
【請求項５】
前記蛇腹管の山部の内径が、前記蛇腹管の上端部と接続する上方の配管、及び前記蛇腹管の下端部と接続する下方の配管の内径よりも大である、請求項１から請求項４のいずれか一項に記載の壁掛け便器。
【請求項６】
前記蛇腹管の谷部の内径と、前記蛇腹管の上端部と接続する上方の配管の内径と、前記蛇腹管の下端部と接続する下方の配管の内径とが、前記蛇腹管の上端部と接続する上方の配管の内径＞前記蛇腹管の谷部の内径＞前記蛇腹管の下端部と接続する下方の配管の内径となるように構成されている、請求項１から請求項５のいずれか一項に記載の壁掛け便器。
【発明の詳細な説明】
【技術分野】
【０００１】
本発明は、壁掛け便器に関する。
【背景技術】
【０００２】
従来、トイレルームの壁側に設置した固定フレームに後端側を接続し、片持ち状態で便器本体を設けてなる壁掛け便器（壁掛け式の便器装置）がある。
【０００３】
壁掛け便器は、例えば、便器本体とともに固定フレームにロータンクを支持させて配設し、便器本体の後端側に設けられた排水口（排水孔）に排水管を接続し、固定フレーム、ロータンク、排水管等を、カウンターパネル（天板）及び前面パネルを備えてなるトイレ用キャビネット内に納めて構成されている。
【０００４】
これにより、トイレルームに便器本体のみが片持ち状態で露出し、通常の床面設置型の便器装置と比較し、トイレルーム内の意匠性等をよくすることができ、また、便器本体と床面の間に空間が形成されるため、清掃等、メンテナンス性を向上させることが可能になる。
【０００５】
ここで、壁掛け便器には、伸縮自在なテレスコタイプの排水管を、その一端側を便器本体の排出孔に接続し、他端側を上下方向に摺動可能に排水本管（排水本管側の接続部材）に接続して配設して構成したものがある（例えば、特許文献１参照）。また、この壁掛け便器においては、例えばゴム製の蛇腹管の内部にテレスコタイプの排水管と排水本管を挿通するように配置し、摺動可能に接続した排水管と排水本管の下方側の接続部を蛇腹管で覆って封止して構成されている。
【０００６】
これにより、排水管の伸縮によって上下方向の位置調節を可能にしつつ、伸縮時に、摺動可能に接続した排水管と排水本管の接続部から漏れ出た臭気がトイレルーム内に拡散することを蛇腹管によって防止できる。
【先行技術文献】
【特許文献】
【０００７】
【特許文献１】特開２００９−０８４８８９号公報
【発明の概要】
【発明が解決しようとする課題】
【０００８】
一方、壁掛け便器を設置する現場の状況、条件によって、便器排水芯にズレが生じるケースがある。
【０００９】
これに対し、上記従来の壁掛け便器においては、伸縮自在なテレスコタイプの排水管を排水本管（排水本管側の接続部材）に摺動可能に接続する必要があるため、便器排水芯にズレが生じると、排水管と排水本管を接続できなくなってしまう。このため、上下方向の位置調節機能を確保しつつ、排水芯のズレに柔軟に対応可能な壁掛け便器が強く望まれていた。
【００１０】
本発明は、排水芯のズレが生じた場合であっても、便器本体の排水口と排水本管とを接続でき、排水芯のズレに柔軟に対応しつつ好適な排水性能を確保できる壁掛け便器を提供することを目的とする。
【課題を解決するための手段】
【００１１】
本発明者は、排水芯のズレが生じた場合であっても、便器本体の排水口と排水本管とを接続でき、排水芯のズレに柔軟に対応しつつ好適な排水性能を確保できる手段を見出し、本発明を完成するに至った。
【００１２】
（１）本発明は、便器本体（例えば、後述の便器本体４）の排水孔（例えば、後述の排水孔４ｂ）と床下排水構造の排水本管接続部（例えば、後述の排水本管接続部２３）とを繋ぐ排水流路（例えば、後述の排水流路Ｒ）の垂直部分が蛇腹管（例えば、後述の蛇腹管５１）によって形成されていることを特徴とする。
【００１３】
（２）本発明は、上記（１）において、前記蛇腹管には、内部に、内面から前記蛇腹管の谷部（例えば、後述の谷部５１ａ）よりも前記蛇腹管の軸線（例えば、後述の軸線Ｏ１）中心の径方向内側に突出して垂下した返し部（例えば、後述の返し部５４）が設けられていてもよい。
【００１４】
（３）本発明は、上記（１）または（２）において、前記蛇腹管の下端部に、上方に向けて凹んで周方向に延び、前記排水本管接続部の上端を嵌合する環状の嵌合溝部（例えば、後述の嵌合溝部５３）が設けられていてもよい。
【００１５】
（４）本発明は、上記（１）から（３）のいずれかにおいて、前記蛇腹管と上方の配管（例えば、後述のエルボ管５０）及び／又は前記排水本管接続部となる下方の配管の接続部に、互いを嵌合して接続するとともに上下方向（例えば、後述の上下方向Ｔ３）に係止される係止部（例えば、後述の係止部５５）と係止受け部（例えば、後述の係止受け部５６）が設けられていてもよい。
【００１６】
（５）本発明は、上記（１）から（４）のいずれかにおいて、前記蛇腹管の山部（例えば、後述の山部５１ｂ）の内径（例えば、後述の内径ｄ１）が、前記蛇腹管の上端部と接続する上方の配管（例えば、後述のエルボ管５０）、及び前記蛇腹管の下端部と接続する下方の配管（例えば、後述の排水本管接続部２３）の内径（例えば、後述の内径ｄ２、ｄ３よりも大であってもよい。
【００１７】
（６）本発明は、上記（１）から（５）のいずれかにおいて、前記蛇腹管の谷部の内径（例えば、後述の内径ｄ４）と、前記蛇腹管の上端部と接続する上方の配管の内径と、前記蛇腹管の下端部と接続する下方の配管の内径とが、前記蛇腹管の上端部と接続する上方の配管の内径＞前記蛇腹管の谷部の内径＞前記蛇腹管の下端部と接続する下方の配管の内径となるように構成されていてもよい。
【発明の効果】
【００１８】
本発明によれば、排水芯のズレが生じた場合であっても、柔軟に対応して好適に排水性能を発揮することが可能になる。
【図面の簡単な説明】
【００１９】
【図１】本発明の一実施形態に係るトイレルーム、壁掛け便器を示す正面図である。
【図２】本発明の一実施形態に係る壁掛け便器を示す平面図である。
【図３】本発明の一実施形態に係る壁掛け便器を示す側面図である。
【図４】本発明の一実施形態に係る壁掛け便器を示す斜視図である。
【図５】本発明の一実施形態に係る壁掛け便器の固定フレームを示す斜視図である。
【図６】本発明の一実施形態に係る壁掛け便器の排水部を示す斜視図である。
【図７】本発明の一実施形態に係る壁掛け便器の排水部を示す側面図である。
【図８】本発明の一実施形態に係る壁掛け便器の排水部の上方の配管と下方の配管とを蛇腹管で接続した状態を示す斜視図である。
【図９】本発明の一実施形態に係る壁掛け便器の排水部の上方の配管と下方の配管と蛇腹管の接続部を示す断面図である。
【発明を実施するための形態】
【００２０】
以下、図１から図９を参照し、本発明の一実施形態に係る壁掛け便器（壁掛け式の便器装置）について説明する。
【００２１】
ここで、図１は、本実施形態の壁掛け便器２を設置したトイレルーム１００の内部を示した図であり、本実施形態のトイレルーム１００は、略直方形の空間で、長手方向がトイレルーム１００の手前側の入口（不図示）と入口に対向する奥側の後壁１０１とを結ぶ前後方向Ｔ１に沿っている。
【００２２】
トイレルーム１００は、奥側の後壁１０１と、後壁１０１の幅方向Ｔ２の一方と他方の一対の側壁１０２と、出入口用の扉が設けられた前壁（不図示）と、床構造１０３とを備えて構成されている。
【００２３】
また、トイレルーム１００は、図２に示すように、各角部に建築部材の柱材の隅柱１０４を設けて構成され、後壁１０１の壁裏には、幅方向Ｔ２の両角部に設けられた左右一対の隅柱１０４に架け渡すようにして補強下地（補強受け木）１０５が配設されている。また、各隅柱１０４には柱側受け木１０６が取り付けられている。柱側受け木１０６は、上下方向に沿って延設されている。
【００２４】
なお、本実施形態において、上下方向Ｔ３は天地方向であり、幅方向Ｔ２はトイレルーム１００の入口側から後壁１０１に向かって左右を結ぶ横方向を意味する。
【００２５】
そして、トイレルーム１００には、図１から図３に示すように、トイレ用キャビネット３や便器本体４などを備えてなる壁掛け便器２が設置され、奥側の後壁１０１に一体にトイレ用キャビネット３が設けられ、トイレ用キャビネット３の前パネル３ａから便器本体４が片持ち状態で前方に突き出すように設けられている。
【００２６】
具体的に、本実施形態の壁掛け便器２は、便器本体４、便座５及び便蓋６と、便器本体４及びロータンク７等を支持する固定フレーム８と、便器本体４に水を供給するロータンク７及び給水管９からなる給水部１０と、便器本体４から排水本管１１に排水を排出するための排水部１２と、固定フレーム８、給水部１０、排水部１２等を収容するトイレ用キャビネット３とを備えて構成されている。
【００２７】
便器本体４は、図４に示すように、上部が開口した凹状のボウル部４ａを有する陶器などの容器であり、ボウル部４ａの底部に汚物等を排出する排水孔（排水口）４ｂを備えて形成されている。また、便器本体４は、トラップ部４ｃを備え、排水孔４ｂがトラップ部４ｃを通じて便器本体４の後端側（背面側）に開口形成されている。
【００２８】
図１から図４に示すように、便座５は、便器本体４の上に配設され、使用者が着座する部材であり、便蓋６は、便器本体４のボウル部４ａの上部開口を覆う蓋材であり、それぞれ、便器本体４の後方側に配されたヒンジ部で接続され、ヒンジ部の幅方向Ｔ２に沿う回動軸周りに回動可能、ひいては便器本体４のボウル部４ａを開閉可能に設けられている。
【００２９】
固定フレーム８は、図４及び図５（図１から図３）に示すように、便器本体４の後端側を接続して便器本体４を片持ち状態で支持するとともにロータンク７（給水部１０）を支持するフレーム本体部１５と、フレーム本体部１５を隅柱１０４、補強下地１０５、柱側受け木１０６などの建築部材に接続して支持するための接続支持部１６とを備えて構成されている。
【００３０】
フレーム本体部１５は、幅方向Ｔ２に所定の間隔をあけて立設された一対の縦材（縦桟）１７、１８と、一対の縦材１７、１８の上端部に接続し、幅方向Ｔ２に延設された横材（上桟）１９と、横材１９よりも下方に配設され、一端を一方の縦材１７に、他端を他方の縦材１８にそれぞれ接続して幅方向Ｔ２に沿って架設された連結横材（下桟）２０とを備えている。
【００３１】
フレーム本体部１５は、例えば、縦材１７、１８が角鋼管、横材１９がＬ字アングル、連結横材２０がコの字型板金を用いて形成されている。なお、横材１９は必ずしもＬ字アングルでなくてもよく、例えば、Ｌ字以外のアングル（他の形鋼材：鋼材に限定する必要もない）であってもよい。
【００３２】
本実施形態のフレーム本体部１５は、横材１９のＬ字アングルの一片１９ａ側をその板面を前後方向Ｔ１に向け、一対の縦材１７、１８の前面に面接触するように配し、他片１９ｂ側をその板面を上下方向Ｔ３に向け、一対の縦材１７、１８の上端に接触するように配しつつ、溶接やボルト接合などの適宜手段を用いて、一対の縦材１７、１８に一体に接続固定されている。
【００３３】
フレーム本体部１５は、横材１９が一対の縦材１７、１８の間隔よりも大きな幅寸法（長さ）で形成され、横材１９の一端部側が一方の縦材１７よりも幅方向Ｔ２外側に、横材１９の他端部側が他方の縦材１８よりも幅方向Ｔ２外側にそれぞれ延出して形成されている。これにより、フレーム本体部１５は、略鳥居形を呈するように形成されている。
【００３４】
また、フレーム本体部１５は、一対の縦材１７、１８のそれぞれの所定の高さ位置に、便器固定ボルト２１が前方に突出して取り付けられている。これにより、フレーム本体部１５は、便器本体４の後端側に設けられたボルト挿通孔に便器固定ボルト２１を挿通しナットを締結することによって、フレーム本体部１５の前方側に配された便器本体４を片持ち状態で接続して支持するように構成されている。
【００３５】
フレーム本体部１５には、ロータンク７を支持するタンク支持部材２２が着脱可能に取り付けられている。
【００３６】
タンク支持部材２２は、フレーム本体部１５の後方側でロータンク７を載置台２２ａ上に載置して支持するように形成されており、例えば、一対の縦材１７、１８にそれぞれ穿設されたボルト挿通孔にボルト接合するなどし、フレーム本体部１５の後方側に配設されている。
【００３７】
本実施形態においては、一対の縦材１７、１８にそれぞれ、上下方向Ｔ３に所定の間隔をあけて複数のボルト挿通孔が設けられ、任意のボルト挿通孔を用いてボルト接合することにより、タンク支持部材２２の載置台２２ａの高さ位置ひいてはロータンク７の設置位置を任意に調節できるように構成されている。
【００３８】
フレーム本体部１５を隅柱１０４、補強下地１０５、柱側受け木１０６などの建築部材に接続して支持するための接続支持部１６は、図４、図５、図６（図２、図３）に示すように、フレーム本体部１５の一対の縦材１７、１８の下端部をトイレルーム１００の床構造１０３に接続するための下側接続部３０と、フレーム本体部１５の横材（上桟）１９を後方の壁側の建築部材（１０４、１０５、１０６）に接続するための上側接続部３１とを備えている。
なお、本実施形態における「補強木」、「補強下地」、「柱側受け木」は必ずしも木材、木質材でなくてもよく、それぞれ、「補強材」、「補強下地材」、「柱側受け材」を意味する。
【００３９】
下側接続部３０は、各縦材１７、１８の下端に溶接などして取り付けられた取付板３０ａを備え、例えば、取付板３０ａに貫通形成された貫通孔を通じて床構造１０３にビス止めするなどし、フレーム本体部１５を垂直に立設した状態で支持する。
【００４０】
なお、下側接続部３０を接続してフレーム本体部１５を支持する本実施形態の床構造１０３は、例えば木造住宅の場合、２本の平行な大引きと、大引きの上に所定間隔をあけて一体に配設されるとともに大引きと直交して並設された複数の根太と、これら根太の上に取り付けて敷設された耐水合板と、耐水合板の上面全体に貼設された化粧板とを備えて構成されている。
また、床構造１０３には、上面から下面に貫通する排水管挿通孔３２が所定位置に設けられている。
【００４１】
上側接続部３１は、フレーム本体部１５から後方側に間隔をあけて後壁側に配設される補強木３５と、補強木３５とフレーム本体部１５の横材１９とを連結する連結部材３６と、幅方向Ｔ２に沿って水平の横方向に延設された補強木３５の両端部と後壁側の建築部材（１０４、１０５、１０６）とを接続して補強木３５を固定するための固定具３７とを備えて構成されている。
【００４２】
補強木３５は、例えば、矩形平板状に形成され、裏面をトイレルーム１００の後壁１０１の壁材に面接触させ、幅方向Ｔ２の長手方向を水平の横方向に向けて配設される。補強木３５は、フレーム本体部１５の横材１９と対峙する高さ位置に配設される。補強木３５は、トイレルーム１００を構成する後壁１０１の壁材の幅寸法や左右一対の隅柱１０４の間隔に応じ、切断するなどして現場に適した長さに調整して使用される。
【００４３】
連結部材３６は、例えば、全ねじボルト（一部にねじ部を備えたねじボルトであっても構わない）であり、補強木３５の前面にビス止めするなどして固着した板付きナット３８に一端を螺着し、フレーム本体部１５の横材１９の前後方向Ｔ１を向く一片１９ａに貫通形成したボルト挿通孔に他端側を挿通するとともにナットを螺着して配設される。また、本実施形態では、縦材１７、１８よりも幅方向Ｔ２外側に延出したフレーム本体部１５の横材１９の両端部側（各延出部１９ｃ）にボルト挿通孔が貫通形成され、各ボルト挿通孔に前後方向Ｔ１に対向する補強木３５の位置に板付きナット３８が配設されている。
【００４４】
これにより、左右一対の全ねじボルトである連結部材３６は、同高さ位置で平行に配設されるとともに、フレーム本体部１５の一対の縦材１７、１８の間隔よりも大きな所定の間隔をあけて配設され、後壁１０１の壁材の所定位置に面接触した補強木３５とフレーム本体部１５の横材１９（フレーム本体部１５の上端部側）とを連結する。
【００４５】
左右一対の連結部材３６の間の幅方向Ｔ２の間隔、及びフレーム本体部１５と後壁１０１の間の前後方向Ｔ１の間隔は、左右一対の連結部材３６の間を通してロータンク７を斜めにすることなく上下に出し入れできる寸法とされている。
【００４６】
また、連結部材３６が全ねじボルトであることにより、補強材３５とフレーム本体部１５の前後方向Ｔ１の間隔を自在に調整することが可能になる。これにより、フレーム本体部１５の設置位置ひいては便器本体４の設置位置を自在に調整することが可能になる。さらに、後壁１０１に不陸がある場合など、一対の連結部材３６の長さをそれぞれ調整することで、好適に補強材３５及びフレーム本体部１５を位置決めして配設することが可能になる。すなわち、現場の状況、条件などに柔軟に対応して固定フレーム８、フレーム本体部１５、便器本体４などを配置することが可能とされている。
【００４７】
一方、フレーム本体部１５には、図５、図６（図３、図４）に示すように、便器本体４の排水孔４ｂと、排水本管１１に繋がる排水本管接続部（下方の配管）２３とを接続するための排水管接続部材２４が取り付けられている。
【００４８】
排水管接続部材２４は、一対の縦材１７、１８にそれぞれ両側端部を接続して一対の縦材１７、１８の間に架設される固定板部２５を備えている。また、排水管接続部材２４は、略円筒状に形成され、固定板部２５の中央を貫通するように一体に設けられ、フレーム本体部１５の前方側に突出して配された便器排水孔接続部２６を便器本体４の排水孔４ｂに嵌合して固定し、フレーム本体部１５の後方側に突出して配された配管接続部２７に配管２８を嵌合して固定し、便器本体４の排水孔４ｂと排水本管１１とを接続して連通させるように構成されている。
【００４９】
本実施形態の壁掛け便器２においては、図７から図９（図６）に示すように、便器本体４の排水孔４ｂに繋がる配管２８のエルボ管５０と床下排水構造の排水本管接続部２３とを繋ぐ排水流路の垂直部分が蛇腹管５１によって形成されている。
【００５０】
すなわち、便器本体４の排水孔４ｂに排水管接続部材２４の便器排水孔接続部２６が接続され、排水管接続部材２４の配管接続部２７にエルボ管５０が接続され、エルボ管５０の下端部側に上端部側を、排水本管接続部２３の上端部側に下端部側をそれぞれ接続して蛇腹管５１が配設されている。これにより、本実施形態の壁掛け便器２では、蛇腹管５１の内部が排水流路Ｒとなっている。
【００５１】
また、蛇腹管５１は、エルボ管５０（上方の配管２８）の下端部側と排水本管接続部（下方の配管）２３の上端部側にそれぞれ、例えばホースバンド５２などを用いて接続されている。
【００５２】
図９に示すように、蛇腹管５１の下端部側には、下端から上方に凹み周方向に延びる環状の嵌合溝部５３が設けられている。嵌合溝部５３を形成する蛇腹管５１の軸線Ｏ１中心の径方向内側の下方に突出した部位が返し部５４とされ、この返し部５４は蛇腹管５１の谷部５１ａよりも径方向内側に突出、延出して形成されている。
【００５３】
蛇腹管５１は、下端部側の嵌合溝部５３に排水本管接続部２３の上端を嵌合し、ホースバンド５２で締め付けて排水本管接続部２３に接続されている。
【００５４】
次に、蛇腹管の上端部側と上方の配管２８であるエルボ管５０の下端部側には、互いを嵌合して接続するとともに上下方向Ｔ３に係止される係止部５５、係止受け部５６が設けられている。
【００５５】
蛇腹管５１は、その上端部側をエルボ管５０の下端部側に嵌合させるとともに係止受け部５６（又は係止部５５）をエルボ管５０の係止部５５（又は係止受け部５６）に係合させ、互いが上下方向Ｔ３に係止された状態で、ホースバンド５２で締め付けてエルボ管５０に接続されている。なお、本実施形態では、蛇腹管５１の係止受け部５６は蛇腹管の山部５１ｂの内側凹部によって形成されている。
【００５６】
本実施形態の壁掛け便器２においては、蛇腹管５１の山部５１ｂの内径ｄ１が、蛇腹管５１の上端部と接続する上方の配管２８（本実施形態ではエルボ管５０）の内径ｄ２、及び蛇腹管５１の下端部と接続する下方の配管（本実施形態では排水本管接続部２３）の内径ｄ３よりも大とされている。
【００５７】
本実施形態では、蛇腹管５１の谷部５１ａの内径ｄ４と、蛇腹管５１の上端部と接続する上方の配管２８の内径ｄ２と、蛇腹管５１の下端部と接続する下方の配管（２３）の内径ｄ３とが、蛇腹管５１の上端部と接続する上方の配管２８の内径ｄ２＞蛇腹管５１の谷部５１ａの内径ｄ４＞蛇腹管５１の下端部と接続する下方の配管（２３）の内径ｄ３となるように構成されている。
【００５８】
そして、上記構成からなる本実施形態の壁掛け便器２においては、便器本体４の排水孔４ｂに繋がる上方の配管２８（エルボ管５０）と床下排水構造の下方の排水本管接続部２３（下方の配管、排水本管）とを繋ぐ排水流路の垂直部分が蛇腹管５１によって形成されていることにより、配管２８と排水本管接続部２３の排水芯（軸線）がズレた場合であっても、このズレを蛇腹管５１で吸収することができる。
【００５９】
これにより、排水芯のズレが生じた場合であっても、柔軟に対応して好適に排水性能を発揮することが可能になる。
【００６０】
また、特に、本実施形態のように、現場の状況や条件に柔軟に対応できるように連結部材３６の全ねじボルトでフレーム本体部１５の位置を調節可能に構成した場合には、この調節によって床構造１０３の排水管挿通孔３２や排水本管接続部２３との相対位置が変わることになるが、蛇腹管５１によって、上方の配管２８（エルボ管５０）と床下排水構造の下方の排水本管接続部２３（下方の配管、排水本管）とを確実且つ好適に接続することが可能になる。
【００６１】
本実施形態の壁掛け便器２においては、蛇腹管５１の内部に、内面から蛇腹管５１の谷部５１ａよりも蛇腹管５１の軸線Ｏ１中心の径方向内側に突出して垂下した返し部５４が設けられていることにより、山部５１ｂと谷部５１ａを複数備えた蛇腹管５１によって排水流路Ｒを形成した場合であっても、排水（汚物）をスムーズに排水本管側に流通させて排出することが可能になる。また、このようにスムーズに排水（汚物）を流通させることができることにより、蛇腹管５１の内部（内面）に汚物等の残渣が溜まることを抑止でき、且つ、止水部に水が回り込みにくい形状とすることができる。
【００６２】
本実施形態の壁掛け便器２においては、蛇腹管５１の下端部に、上方に向けて凹んで周方向に延び、排水本管接続部２３の上端を嵌合する環状の嵌合溝部５３が設けられていることにより、嵌合溝部５３で蛇腹管５１の下端部側が位置決めされ、蛇腹管５１の下端部側が排水本管接続部２３の下方側に深く嵌合してしまうことを防止でき、蛇腹管５１の下端部と排水本管接続部２３を好適に接続することができる。これにより、例えば、排水管接続部２３の外周面に規格等を記した凹凸のある刻印があるような場合に、蛇腹管５１の下端部側が深く嵌合して凹凸のある刻印部分が止水部に設置されてしまうことも防止できる。
【００６３】
本実施形態の壁掛け便器２においては、蛇腹管５１と上方の配管２８（及び／又は排水本管接続部２３となる下方の配管）の接続部に、互いを嵌合して接続するとともに上下方向Ｔ３に係止される係止部５５と係止受け部５６が設けられている。
これにより、上方の配管２８（や下方の配管）と蛇腹管５１を強固に接続することができ、蛇腹管５１の引き抜けなどを確実に防止できる。
【００６４】
本実施形態の壁掛け便器２においては、蛇腹管５１の山部５１ｂの内径ｄ１が、上方の管２８及び下方の配管（排水本管接続部２３）の内径ｄ２、ｄ３よりも大であることにより、山部５１ｂと谷部５１ａを複数備えた蛇腹管５１によって排水流路Ｒを形成した場合であっても、排水（汚物）をより確実でスムーズに排水本管側に流通させて排出することが可能になる。また、蛇腹管５１の内部に汚物等の残渣が溜まることもより確実に抑止できる。
【００６５】
本実施形態の壁掛け便器２においては、上方の配管２８の内径ｄ２＞蛇腹管５１の谷部５１ａの内径ｄ４＞下方の配管（２３）の内径ｄ３となるように構成することで、排水（汚物）をさらに確実でスムーズに排水本管側に流通させて排出することができる。また、蛇腹管５１の内部に汚物等の残渣が溜まることもさらに確実に抑止できる。
【００６６】
以上、本発明に係る壁掛け便器の一実施形態について説明したが、本発明は上記の一実施形態に限定されるものではなく、その趣旨を逸脱しない範囲で適宜変更可能である。
【符号の説明】
【００６７】
２  壁掛け式の便器装置（壁掛け便器）
４  便器本体
８  固定フレーム
１５  フレーム本体部
１６  接続支持部
２３  排水本管接続部（下方の配管）
２８  配管
３０  下側接続部
３１  上側接続部
３６  連結部材
５０  エルボ管（上方の配管）
５１  蛇腹管
５１ａ  谷部
５１ｂ  山部
５３  嵌合溝部
５４  返し部
５５  係止部
５６  係止受け部
１００  トイレルーム
１０１  後壁（壁材、建築部材）
１０２  側壁
１０３  床構造
１０４  隅柱（柱材、建築部材）
１０５  補強下地（補強受け木、建築部材）
１０６  柱側受け木（受け木、建築部材）
ｄ１  蛇腹管の山部の内径
ｄ２  上方の配管の内径
ｄ３  下方の配管の内径
ｄ４  蛇腹管の谷部の内径
Ｏ１  軸線（排水芯）
Ｒ  排水流路
Ｔ１  前後方向
Ｔ２  幅方向
Ｔ３  上下方向
【図１】
2020111921.tif 000003
【図２】
2020111921.tif 000004
【図３】
2020111921.tif 000005
【図４】
2020111921.tif 000006
【図５】
2020111921.tif 000007
【図６】
2020111921.tif 000008
【図７】
2020111921.tif 000009
【図８】
2020111921.tif 000010
【図９】
2020111921.tif 000011